(57)【要約】【課題】両カーテンレールに対する脱着操作の容易化を図りながら、洗濯物干し用ハンガー等の物品に身体や他物が接触しても、両カーテンレールからの脱落を抑制する。【解決手段】互いに平行に延設される両カーテンレール１，２に取付けられるレール取付け部４と、物品を掛け止め可能な掛け止め部と、を備えた物品掛け具であって、レール取付け部４は、一方のカーテンレール１に対して側方から脱着自在に嵌合する嵌合支持体５と、他方のカーテンレール２の上面２ａに掛止可能な掛止支持体６と、を備え、掛止支持体６には、他方のカーテンレール２との係合によって掛け止め部の回動を規制する回動規制部８が設けられている。【選択図】図１
2019217090.tif 000002
【特許請求の範囲】
【請求項１】
互いに平行に延設される両カーテンレールに取付けられるレール取付け部と、物品を掛け止め可能な掛け止め部と、を備えた物品掛け具であって、
前記レール取付け部は、一方の前記カーテンレールに対して側方から脱着自在に嵌合する嵌合支持体と、他方の前記カーテンレールの上面に掛止可能な掛止支持体と、を備え、前記掛止支持体には、他方の前記カーテンレールとの係合によって前記掛け止め部の回動を規制する回動規制部が設けられている物品掛け具。
【請求項２】
前記嵌合支持体及び前記掛止支持体は、縦向き姿勢の掛け具本体の上端部に形成され、前記掛け止め部には、前記掛け具本体の下端部側を支点とする上下揺動により、レール横断方向の側方に突出する物品掛け止め姿勢と、前記掛け具本体に沿う格納姿勢とに切換自在な掛け止めアームが備えられている請求項１記載の物品掛け具。
【請求項３】
前記嵌合支持体には、一方の前記カーテンレールに嵌合した状態で当該カーテンレールの側面に磁着可能な磁着部が設けられている請求項１又は２記載の物品掛け具。
【請求項４】
前記掛け止めアームの下端部には、当該掛け止めアームが格納姿勢にあるとき、前記掛け具本体の下端部からレール横断方向の側方に突出する指掛け部が設けられている請求項２記載の物品掛け具。
【請求項５】
前記指掛け部に形成された指掛け孔は、前記掛け止め部の複数の掛け止め孔の一つに兼用構成されている請求項４記載の物品掛け具。
【請求項６】
前記掛け具本体には、前記掛け止めアームを格納姿勢で収納する収納空間が形成されている請求項２、４、５のいずれか１項に記載の物品掛け具。
【発明の詳細な説明】
【技術分野】
【０００１】
本発明は、洗濯物干し用ハンガーや衣服用ハンガー等の物品を室内のカーテンレールを利用して掛け止める際に用いられる物品掛け具に関する。詳しくは、互いに平行に延設される両カーテンレールに取付けられるレール取付け部と、物品を掛け止め可能な掛け止め部と、を備えた物品掛け具に関する。
【背景技術】
【０００２】
上述の物品掛け具として、特許文献１の図７に示すカーテンレール用アタッチメントが存在する。このアタッチメントに備えられるレール取付け部は、両カーテンレールの上面にレール横断方向に沿う姿勢で載架可能な載架支持板を有する。載架支持板の長手方向の両端部には、両カーテンレールにおけるレール横断方向の両外側に位置する外側面に接触又は近接する係止片が直角に垂設されている。
また、アタッチメントに備えられる掛け止め部は、載架支持板の長手方向中央部に垂設された縦向き姿勢の掛け止め本体と、該掛け止め本体の下端部にレール横断方向に沿って一体形成された一対のＬ字状のフックとを有し、レール長手方向視において全体が略逆向きＴの字状に構成されている。両フックのレール横断方向のフック最大幅は、両カーテンレールのレール横断方向で相対向する両内側面間のレール間幅よりも大に構成されている。両フックのレール長手方向の厚みは、両カーテンレールのレール間幅よりも小に構成されている。
また、アタッチメントの載架支持板が両カーテンレールの上面に載架された状態において、掛け止め部の両フックの先端と両カーテンレールの下面との間に形成される空隙の上下間隔は、載架支持板の両端に垂設された両係止片の上下方向での係止長さよりも大に構成されている。
【先行技術文献】
【特許文献】
【０００３】
【特許文献１】特開２０１７−０７４４７０号公報
【発明の概要】
【発明が解決しようとする課題】
【０００４】
上述の特許文献１のカーテンレール用アタッチメントでは、アタッチメントの脱着のために、掛け止め部の両フックの先端と両カーテンレールの下面との間に形成される空隙の上下間隔は、載架支持板の両端に垂設された両係止片の上下方向での係止長さよりも大に構成する必要がある。
そのため、アタッチメントの使用状態を観察すると、掛け止め部の両フックに掛け止められた洗濯物干し用ハンガー等の物品に身体や他物等が接触して、両カーテンレールに載架されているアタッチメントに上方への持ち上げ力及び水平方向の回転力が作用することがある。このとき、掛け止め部の両フックの先端と両カーテンレールの下面との間に存在する大きな空隙により、レール取付け部の両係止片が、両カーテンレールの外側面から離脱して係止解除され、且つ、水平方向の回転力によって、掛け止め部の両フックの先端が両カーテンレールの上面に回転移動する。その回転移動が大きい場合には、掛け止め部の両フックが両カーテンレールの隣接間から脱落する。回転移動が小さい場合でも、その後の身体や他物との接触によって掛け止め部の両フックが両カーテンレールの隣接間から脱落する可能性がある
【０００５】
この実情に鑑み、本発明の主たる課題は、両カーテンレールに対する脱着操作の容易化を図りながら、掛止支持体に掛け止められた洗濯物干し用ハンガー等の物品に身体や他物が接触しても、両カーテンレールからの脱落を抑制することのできる物品掛け具を提供する点にある。
【課題を解決するための手段】
【０００６】
本発明の第１特徴構成は、互いに平行に延設される両カーテンレールに取付けられるレール取付け部と、物品を掛け止め可能な掛け止め部と、を備えた物品掛け具であって、
前記レール取付け部は、一方の前記カーテンレールに対して側方から脱着自在に嵌合する嵌合支持体と、他方の前記カーテンレールの上面に掛止可能な掛止支持体と、を備え、前記掛止支持体には、他方の前記カーテンレールとの係合によって前記掛け止め部の回動を規制する回動規制部が設けられている点にある。
【０００７】
上記構成によれば、両カーテンレールに対して物品掛け具のレール取付け部を取付ける場合、例えば、両カーテンレール間に、レール取付け部を構成する嵌合支持体及び掛止支持体をレール長手方向に沿って配置し、この状態で物品掛け具全体を回転操作する。これにより、嵌合支持体は、一方のカーテンレールに対して側方から嵌合し、掛止支持体は、他方のカーテンレールの上面に掛止される。これにより、物品掛け具を両カーテンレールに安定良く容易に取り付けることができる。
しかも、上述の取付け状態において、物品掛け具の掛け止め部に掛け止められた洗濯物干し用ハンガー等の物品に身体や他物等が接触して、物品掛け具に上方への持ち上げ力及び水平方向の回転力が作用しても、上方への持ち上げ力に対しては、一方のカーテンレールと嵌合支持体との嵌合部位において確実に受止めることができる。また、物品掛け具に作用する水平方向の回転力に対しては、掛止支持体に設けた回動規制部と他方の前記カーテンレールとの係合部位において確実に受止めることができるので、物品掛け具全体の水平方向での回動に伴って一方のカーテンレールに嵌合されている嵌合支持体が離脱移動することを阻止することができる。
したがって、両カーテンレールに対する物品掛け具の脱着操作の容易化を図りながら、掛止支持体に掛け止められた洗濯物干し用ハンガー等の物品に身体や他物等が接触しても、両カーテンレールからの物品掛け具の脱落を抑制することができる。
【０００８】
本発明の第２特徴構成は、前記嵌合支持体及び前記掛止支持体は、縦向き姿勢の掛け具本体の上部に形成され、前記掛け止め部には、前記掛け具本体の下端部側を支点とする上下揺動により、レール横断方向の側方に突出する物品掛け止め姿勢と、前記掛け具本体に沿う格納姿勢とに切換自在な掛け止めアームが備えられている点にある。
【０００９】
上記構成によれば、掛け具本体の上端部に形成した嵌合支持体と掛止支持体を、掛け止めアームの揺動突出側が室内側となる向き姿勢で両カーテンレールに取付け、掛け止めアームを物品掛け止め姿勢に切り換える。掛け止めアームは、掛け具本体の下端部側を支点として揺動するため、物品掛け止め姿勢にある掛け止めアームの先端側ほど両カーテンレールから離間する。これにより、例えば、濡れた洗濯物を室内干しする場合でも、カーテン生地から離れた状態で洗濯物干し用ハンガー等を掛け止めアームに掛け止めることができる。
また、物品掛け具の非使用時には、掛け止めアームを掛け具本体に沿う格納姿勢に切り換えることができるので、物品掛け具をコンパクトに収納することができる。
【００１０】
本発明の第３特徴構成は、前記嵌合支持体には、一方の前記カーテンレールに嵌合した状態で当該カーテンレールの側面に磁着可能な磁着部が設けられている点にある。
【００１１】
上記構成によれば、両カーテンレールに対して物品掛け具のレール取付け部を取付ける際、レール取付け部の嵌合支持体を、一方のカーテンレールに対して嵌合操作すると、嵌合支持体に設けた磁着部の磁着力により、嵌合支持体がカーテンレールの側面に引き寄せられてスムーズに磁着嵌合する。これにより、両カーテンレールに対するレール取付け部の取り付け操作の容易化を図ることができる。しかも、一方のカーテンレールに対する嵌合支持体の離脱阻止機能も高まるので、掛け止め部に掛け止められた洗濯物干し用ハンガー等の物品に身体や他物等が接触することに起因する物品掛け具の脱落をより抑制することができる。
【００１２】
本発明の第４特徴構成は、前記掛け止めアームの下端部には、当該掛け止めアームが格納姿勢にあるとき、前記掛け具本体の下端部からレール横断方向の側方に突出する指掛け部が設けられている点にある。
【００１３】
上記構成によれば、両カーテンレールに取り付けられている物品掛け具の掛け止めアームを物品掛け止め姿勢に切り換える際、掛け具本体の下端部からレール横断方向の側方に突出する指掛け部を指で引き下げ操作するだけで済むので、掛け止めアームの物品掛け止め姿勢への切り換えをスムーズに行うことができる。
【００１４】
本発明の第５特徴構成は、前記指掛け部に形成された指掛け孔は、前記掛け止め部の複数の掛け止め孔の一つに兼用構成されている点にある。
【００１５】
上記構成によれば、格納姿勢にある掛け止めアームを物品掛け止め姿勢に切り換え操作するための指掛け部の指掛け孔を、物品を掛け止める掛け止め孔として活用することができるので、物品の掛け止め数の増加と掛け止め位置の選択範囲の拡大により、使い勝手の改善を図ることができる。
【００１６】
本発明の第６特徴構成は、前記掛け具本体には、前記掛け止めアームを格納姿勢で収納する収納空間が形成されている点にある。
【００１７】
上記構成によれば、掛け止めアームを格納姿勢に切り換えたとき、掛け止めアームを掛け具本体の収納空間内に体裁良く収めることができる。
【図面の簡単な説明】
【００１８】
【図１】第１実施形態を示す物品掛け具の格納状態の正面図
【図２】物品掛け具の物品掛け止め状態の斜視図
【図３】物品掛け具の断面図
【図４】物品掛け具のレール取付け部の分解斜視図
【図５】物品掛け具の掛け止めアームの揺動連結部の分解斜視図
【図６】第２実施形態を示す物品掛け具の要部の正面図
【発明を実施するための形態】
【００１９】
本発明の実施形態を図面に基づいて説明する。
図１〜図３は、部屋の窓側等に設置されたカーテンレール１，２を利用して、洗濯物干し用ハンガーや衣服用ハンガー等の物品を室内に掛け止める際に用いられる物品掛け具Ａを示す。この物品掛け具Ａは、縦向き姿勢の掛け具本体３と、互いに平行に延設される両カーテンレール１，２に取付けられるレール取付け部４と、洗濯物干し用ハンガー等の複数の物品を掛け止め可能な掛け止め部７と、を備える。
カーテンレール１，２としては、従来から種々の形態のものが存在し、そのいずれの形態のカーテンレール１，２も好適に用いることができる。本実施形態では、図１に示すように、窓側に配置される一方のカーテンレール１は、下方開口の溝型に成形されたスチール製のカーテンレールが用いられ、それの内部には多数のランナー（図示省略）が移動可能に支持され、各ランナーからカーテン生地（図示省略）が吊下支持される。また、窓側の一方のカーテンレール１よりも室内側に平行に配置される他方のカーテンレール２は、装飾性を向上させるために、円筒状あるいは丸棒状のカーテンレールが用いられ、それの外周面には多数のリングランナー（図示省略）が移動可能に外装支持され、各リングランナーからカーテン生地（図示省略）が吊下支持される。
また、図１に示すように、窓側の一方のカーテンレール１の上面１ａの取付け高さ位置と、室内側の他方のカーテンレール２の上面２ａの取付け高さ位置とは、同一又は略同一の高さ位置に設定されている。
【００２０】
物品掛け具Ａのレール取付け部４は、図１〜図３に示すように、一方のカーテンレール１に対してレール横断方向の側方から脱着自在に嵌合可能な嵌合支持体５と、他方のカーテンレール２の上面２ａに掛止可能な掛止支持体６と、を備える。嵌合支持体５及び掛止支持体６は、掛け具本体３の上端部にレール横断方向の両側方に突出する状態で一体形成されている。本実施形態では、掛け具本体３と嵌合支持体５と掛止支持体６は、樹脂で一体成形されている。
図１、図２に示すように、掛け具本体３と嵌合支持体５と掛止支持体６の各厚みＴは、両カーテンレール１，２のレール横断方向で相対向する両内側面１ｂ，２ｂ間のレール間幅Ｗ１よりも小に構成されている。また、図２に示すように、嵌合支持体５の先端から掛止支持体６の先端までの距離Ｄ２は、両カーテンレール１，２におけるレール横断方向の両外側面１ｃ，２ｃのレール外側幅Ｗ２よりも大に構成されている。
【００２１】
掛止支持体６は、図１〜図３に示すように、掛け具本体３の他側面３ｂの上端部からレール横断方向に沿って一体的に突設され、この掛止支持体６の下面側となる係止面６１は、レール長手方向視において、レール横断方向を長軸とする半楕円状に形成されている。そのため、掛止支持体６の係止面６１における先端側係止面部分６１ａ及び基端側係止面部分６１ｃは、中央側係止面部分６１ｂよりも下方側に弧状に突出する。
そして、図１に示すように、掛止支持体６の係止面６１における中央側係止面部分６１ｂが他方のカーテンレール２の上面２ａに掛止されている状態で、物品掛け具Ａの掛け止め部７に掛け止められた洗濯物干し用ハンガー等の物品に身体や他物等が接触して、物品掛け具Ａに水平方向の回転力が作用しても、掛止支持体６の係止面６１における先端側係止面部分６１ａが他方のカーテンレール２の外側面２ｃに係合することにより、それ以上の物品掛け具Ａの水平方向での回動が規制される。これにより、一方のカーテンレール１に嵌合されている嵌合支持体５の離脱移動を阻止することができる。
これにより、掛止支持体６の係止面６１における先端側係止面部分６１ａをもって、他方のカーテンレール２の外側面２ｃとの係合によって掛け止め部７を含む掛け具本体３の水平方向での回動を規制する回動規制部８が構成されている。
また、本実施形態では、掛止支持体６の先端部分を下方に屈曲形成し、先端側係止面部分６１ａを含む先端部をもって回動規制部８を構成したが、この回動規制部８を、掛止支持体６とは別の部材から製作し、この別部材製の回動規制部８を掛止支持体６にビスや接着剤等で固定してもよい。さらに、別部材製の回動規制部８を、回動規制姿勢と規制解除姿勢とに切り換え可能な状態で掛止支持体６に取付けてもよい。
【００２２】
嵌合支持体５は、図１〜図４に示すように、一方のカーテンレール１がレール横断方向の側方から入り込み可能な状態で掛け具本体３に形成された嵌合凹部５１と、掛け具本体３の一側面３ａにおける嵌合凹部５１の上下両端からレール横断方向に沿って一体的に突設される上下一対の嵌合突起５２，５３と、を備える。そのため、嵌合支持体５の嵌合溝部５０は、嵌合凹部５１と、両嵌合突起５２，５３の上下方向で相対向する内側面５２ａ，５３ａ間に形成される嵌合空間５４とをもって構成されている。
図１に示すように、嵌合溝部５０の嵌合深さＤ１は、一方のカーテンレール１のレール幅Ｗ３よりも十分大きく構成されている。特に、掛止支持体６の係止面６１における先端側係止面部分６１ａが他方のカーテンレール２の外側面２ｃに係合したときにおいても、嵌合支持体５の嵌合溝部５０と一方のカーテンレール１との嵌合状態が維持される嵌合深さＤ１に設定されている。
【００２３】
また、図１に示すように、嵌合溝部５０の嵌合溝高さＨ１は、一方のカーテンレール１のレール高さＨ２よりも大に構成されている。下側の嵌合突起５３の内側面５３ａと一方のカーテンレール１の下面との上下間に形成される空隙により、掛止支持体６の係止面６１における先端側係止面部分６１ａが他方のカーテンレール２の上面２ａを乗り越える状態にまで、一方のカーテンレール１に対する嵌合支持体５の傾動操作を許容するように構成されている。
【００２４】
さらに、図１〜図４に示すように、両嵌合突起５２，５３の内側面５２ａ，５３ａの先端側部位は、先端側ほど上下方向で離間する弧状の嵌合ガイド面５２ｂ，５３ｂに形成されている。両カーテンレール１，２に対して物品掛け具Ａのレール取付け部４を取付ける場合、例えば、両カーテンレール１，２間に、レール取付け部４を構成する嵌合支持体５及び掛止支持体６をレール長手方向に沿って配置し、この状態で物品掛け具Ａ全体を水平回転操作する。このとき、両嵌合突起５２，５３の嵌合ガイド面５２ｂ，５３ｂが一方のカーテンレール１に少し嵌合した初期段階では、両嵌合突起５２，５３の嵌合ガイド面５２ｂ，５３ｂによって、嵌合支持体５及び掛止支持体６を含む物品掛け具Ａ全体を自在に傾動させることができる。この物品掛け具Ａ全体の傾動操作により、他方のカーテンレール２に対して掛止支持体６の係止面６１における先端側係止面部分６１ａを容易に乗り越えさせることができる。
そして、他方のカーテンレール２に対する掛止支持体６の乗り越え移動に伴って、嵌合支持体５は、レール横断方向に向きを変えながら一方のカーテンレール１に対して側方から嵌合し、掛止支持体６の係止面６１における中央側係止面部分６１ｂは、他方のカーテンレール２の上面２ａに掛止される。これにより、物品掛け具Ａを両カーテンレール１，２に安定良く容易に取り付けることができる。
【００２５】
嵌合支持体５には、図３、図４に示すように、一方のスチール製のカーテンレール１に嵌合した状態で、当該カーテンレール１の内側面１ｂに磁着可能な磁着部９が設けられている。この磁着部９は、円板状の永久磁石９１と、この永久磁石９１を収納するポケット９２を有する樹脂製の磁石収納ケース９３と、嵌合支持体５の嵌合溝部５０の奥側部位において磁石収納ケース９３をレール横断方向から係合保持する係合保持部９０と、を備える。
【００２６】
磁石収納ケース９３は、図４に示すように、レール長手方向で相対向する一対の側板部９３ａと、両側板部９３ａの一端に一体形成される底板部９３ｂと、を備える。磁石収納ケース９３の底板部９３ｂは、嵌合支持体５が一方のカーテンレール１に嵌合したとき、一方のカーテンレール１の内側面１ｂに接触するように構成されている。この底板部９３ｂに、永久磁石９１を収納するポケット９２が形成されている。
【００２７】
そして、両カーテンレール１，２に対して物品掛け具Ａのレール取付け部４を取付ける際、一方のカーテンレール１に対して嵌合支持体５を嵌合操作すると、嵌合支持体５に設けた磁着部９の永久磁石９１の磁着力により、嵌合支持体５が一方のカーテンレール１の内側面１ｂに引き寄せられてスムーズに磁着嵌合する。これにより、両カーテンレール１，２に対するレール取付け部４の取り付け操作の容易化を図ることができる。しかも、一方のカーテンレール１に対する嵌合支持体５の離脱阻止機能も高まるので、掛け止め部７に掛け止められた洗濯物干し用ハンガー等の物品に身体や他物等が接触することに起因する物品掛け具Ａの脱落をより抑制することができる。
【００２８】
係合保持部９０は、図３、図４に示すように、レール長手方向に貫通する係合孔９５と、この係合孔９５を区画形成する仕切り壁部９６と、磁石収納ケース９３の底板部９３ｂの内面における上下の二箇所にレール横断方向から当接する第１補強板部９７と、を備える。
また、図４に示すように、磁石収納ケース９３の両側板部９３ａの内面には、両側板部９３ａの撓み変形で係合保持部９０の仕切り壁部９６の両側面を乗り越えて係合孔９５に係合する係合爪９４が一体形成されている。磁石収納ケース９３の底板部９３ｂの内面における上下中央位置には、仕切り壁部９６にレール横断方向から当接する第２補強板部９８が一体形成されている。
【００２９】
そして、嵌合支持体５の嵌合溝部５０の溝奥側部位に形成されている係合保持部９０に磁石収納ケース９３を係合装着する場合、磁石収納ケース９３を嵌合溝部５０に沿って押し込み操作するだけで、磁石収納ケース９３の両側板部９３ａの撓み変形を利用して、両側板部９３ａの内面の係合爪９４が仕切り壁部９６の両側面を乗り越えて係合孔９５に係合するので、磁石収納ケース９３の組付けを能率良く迅速に行うことができる。
【００３０】
また、嵌合支持体５の係合保持部９０に係合保持された磁石収納ケース９３の底板部９３ｂが、物品掛け具Ａに作用する外力によって一方のカーテンレール１の内側面１ｂに衝突しても、このときの衝撃を、磁石収納ケース９３の底板部９３ｂと嵌合支持体５の仕切り壁部９６との間に配置されている第１補強板部９７及び第２補強板部９８で受け止めることができるので、磁石収納ケース９３の変形、破損を抑制することができる。
【００３１】
掛け止め部７には、図１、図２に示すように、掛け具本体３の下端部側を支点とする上下揺動により、レール横断方向の側方に水平又はほぼ水平に突出する物品掛け止め姿勢と、掛け具本体３に重合する状態にまで起立させた格納姿勢とに切換自在な掛け止めアーム７１が備えられている。掛け止めアーム７１の下端部には、当該掛け止めアーム７１が格納姿勢にあるとき、掛け具本体３の下端部からレール横断方向の掛止支持体６の存在側に水平に突出する指掛け部７２が一体形成されている。
掛け止めアーム７１の基端部には、図３、図５に示すように、掛け止めアーム７１が物品掛け止め姿勢に揺動したとき、掛け具本体３の一側板３Ａの下端３ｃに当接するストッパー面７０が形成されている。
【００３２】
そして、掛け具本体３の上端部に形成した嵌合支持体５と掛止支持体６を、掛け止めアーム７１の揺動突出側が室内側となる向き姿勢で両カーテンレール１，２に取付け、掛け止めアーム７１を物品掛け止め姿勢に切り換える。（図２、図３参照）掛け止めアーム７１は、掛け具本体３の下端部側を支点として室内側に揺動するため、物品掛け止め姿勢にある掛け止めアーム７１の先端側ほど両カーテンレール１，２から離間する。これにより、例えば、濡れた洗濯物を室内干しする場合でも、カーテン生地から離れた状態で洗濯物干し用ハンガー等を掛け止めアーム７１に掛け止めることができる。また、物品掛け具Ａの非使用時には、図１に示すように、掛け止めアーム７１を掛け具本体３に沿う格納姿勢に切り換えることができるので、物品掛け具Ａをコンパクトに収納することができる。
【００３３】
掛け止めアーム７１には、図１〜図３に示すように、洗濯物干し用ハンガーや衣服用ハンガー等の物品を掛け止める円形の複数個（本実施形態では３個）の掛け止め孔７３と、半円形の複数個（本実施形態では２個）の掛け止め凹部７４と、が形成されている。半円形の掛け止め凹部７４は、物品掛け止め姿勢にある掛け止めアーム７１の上側辺において、円形の掛け止め孔７３の隣接間に位置する状態で窪み形成されている。
指掛け部７２には、図１〜図３に示すように、掛け止め孔７３と同径の指掛け孔７５が貫通形成されている。この指掛け孔７５は、掛け止め部７の複数の掛け止め孔７３の一つに兼用構成されている。
【００３４】
掛け具本体３には、図２、図３に示すように、掛け止めアーム７１を格納姿勢で収納する収納空間３１が形成されている。掛け止めアーム７１と指掛け部７２とに亘る外周縁には、図２、図５に示すように、レール長手方向の両側方に突出するフランジ部７６が一体形成されている。このフランジ部７６は、掛け止め凹部７４の曲面に沿って湾曲形成されている。
また、図２に示すように、掛け止めアーム７１の先端部側に位置するフランジ部７６の一箇所には、掛け具本体３における収納空間３１の開口周縁との接触によって掛け止めアーム７１に揺動抵抗を付与する揺動抵抗付与突起７７が形成されている。
この揺動抵抗付与突起７７は、掛け具本体３の収納空間３１内に掛け止めアーム７１が格納姿勢で収納されたとき、掛け具本体３における収納空間３１の開口周縁と接触し、格納姿勢にある掛け止めアーム７１が物品掛け止め姿に戻り揺動することを規制している。
【００３５】
掛け具本体３と掛け止めアーム７１との枢支連結構造は、図５に示すように、掛け止めアーム７１の揺動支点位置に貫通形成された第１枢支連結孔６２と、掛け具本体３の下端部の揺動支点位置に貫通形成された第２枢支連結孔６３と、第２枢支連結孔６３及び第１枢支連結孔６２に対して揺動軸芯方向の一側方から挿入される大径の回動支点筒軸６４と、この回動支点筒軸６４に対して揺動軸芯方向の他側方から嵌合連結される小径の連結筒軸６５と、を備える。
回動支点筒軸６４の外側端部及び連結筒軸６５の外側端部には鍔部６４ａ，６５ａが一体形成されている。連結筒軸６５の先端部の周方向の二箇所には、径方向外方に突出する抜け止め爪６６が形成され、回動支点筒軸６４の基端部の周方向の二箇所には、連結筒軸６５の両抜け止め爪６６が係合する抜け止め係合孔６７が形成されている。
【００３６】
〔第２実施形態〕
図６に示す物品掛け具Ａには、レール取付け部４を構成する嵌合支持体５と掛止支持体６との相対高さを変更する高さ変更手段１０が設けられている。本実施形態では、嵌合支持体５に対して掛止支持体６の高さ位置を変更する。この高さ変更手段１０は、嵌合支持体５及び掛け具本体３とは分離形成された掛止支持体６に設けられる昇降軸１０１と、掛け具本体３に形成され、且つ、昇降軸１０１が上方から摺動自在に嵌合する昇降ガイド孔１０２と、昇降ガイド孔１０２に挿入された昇降軸１０１を昇降範囲の任意の高さ位置で掛け具本体３に固定するビス（固定手段の一例）１０３と、を備える。
【００３７】
そして、室内側の他方のカーテンレール２の上面２ａの取付け位置が、窓側の一方のカーテンレール１の上面１ａの取付け位置よりも高い場合には、高さ変更手段１０のビス１０３を緩め、両カーテンレール１，２の高さ差分だけ掛止支持体６の高さ位置を変更し、ビス１０３で固定する。
尚、その他の構成は、第１実施形態で説明した構成と同一であるから、同一の構成箇所には、第１実施形態と同一の番号を付記してそれの説明は省略する。
【００３８】
上述の第２実施形態では、嵌合支持体５に対して掛止支持体６の高さ位置を上方側に変更可能に構成したが、この掛止支持体６の高さ位置を、嵌合支持体５の上方側領域と下方側領域とにわたって変更可能に構成してもよい。
【００３９】
また、上述の第２実施形態では、嵌合支持体５に対して掛止支持体６の高さ位置を変更可能に構成したが、掛止支持体６に対して嵌合支持体５の高さ位置を変更可能に構成してもよい。
【００４０】
〔その他の実施形態〕
（１）上述の第１実施形態では、窓側に下方開口の溝型に形成されたスチール製のカーテンレール１を配置し、それよりも室内側に円筒状あるいは丸棒状のカーテンレール２を配置したカーテンレール構造を例に挙げて説明したが、このカーテンレール構造に限定されない。例えば、本願の物品掛け具Ａは、スチール製又は樹脂製の２本の溝型のカーテンレール１，２を並設してあるカーテンレール構造、又は、円筒状あるいは丸棒状の２本のカーテンレール１、２を並設してあるカーテンレール構造にも適用することができる。
【００４１】
（２）上述の第１実施形態では、嵌合支持体５に、一方のスチール製のカーテンレール１に嵌合した状態で当該カーテンレール１の内側面１ｂに磁着可能な磁着部９を設けたが、一方のカーテンレール１が樹脂やアルミニウム等の非磁性材料から構成されている場合には、カーテンレール１の磁着部９に対応する部位に鉄片等の磁性体を接着剤等で付設して実施する。
【００４２】
（３）上述の第１実施形態では、嵌合支持体５に磁着部９を設けた物品掛け具Ａについて説明したが、磁着部９が設けられていない物品掛け具Ａで実施してもよい。
【００４３】
（４）上述の第１実施形態では、掛け止め部７の掛け止めアーム７１ｌを、掛け具本体３の下端部側を支点として上下揺動自在に構成したが、掛け止めアーム７１ｌを掛け具本体３の下端部に物品掛け止め姿勢で固着してもよい。
【符号の説明】
【００４４】
１        一方のカーテンレール
２        他方のカーテンレール
２ａ      上面
３        掛け具本体
４        レール取付け部
５        嵌合支持体
６        掛止支持体
７        掛け止め部
８        回動規制部
９        磁着部
３１      収納空間
７１      掛け止めアーム
７２      指掛け部
７３      掛け止め孔
７５      指掛け孔
【図１】
2019217090.tif 000003
【図２】
2019217090.tif 000004
【図３】
2019217090.tif 000005
【図４】
2019217090.tif 000006
【図５】
2019217090.tif 000007
【図６】
2019217090.tif 000008